(57)【要約】【課題】移動局ＵＥの能力に応じて待ち受けＲＡＴを決定する。【解決手段】本発明に係る移動通信方法は、加入者管理サーバ装置ＨＳＳが、受信した移動局ＵＥの「Ｕｐｄａｔｅ  ＧＰＲＳ  Ｌｏｃａｔｉｏｎ/Ｕｐｄａｔｅ  Ｌｏｃａｔｉｏｎ  Ｒｅｑｕｅｓｔ」に含まれるＣＳＦＢ能力有無情報に基づいて、ＷＣＤＭＡ方式の無線アクセスネットワーク又はＬＴＥ方式の無線アクセスネットワークのどちらかを、移動局ＵＥの待ち受け無線アクセスネットワークに決定する工程と、移動局ＵＥが、加入者管理サーバ装置ＨＳＳによって決定された移動局ＵＥの待ち受け無線アクセスネットワークにおいて待ち受けを行う工程とを有する。【選択図】図１
2011015307.tif 000002
【特許請求の範囲】
【請求項１】
回線交換通信を提供可能な第１無線アクセスネットワーク、及び、回線交換通信を提供できないが該第１無線アクセスネットワークよりも高速なパケット交換通信を提供可能な第２無線アクセスネットワークを具備する移動通信システムにおいて、移動局が待ち受けを行う移動通信方法であって、
加入者管理サーバ装置が、受信した前記移動局の位置情報更新信号に含まれる能力情報に基づいて、前記第１無線アクセスネットワーク又は前記第２無線アクセスネットワークのどちらかを、該移動局の待ち受け無線アクセスネットワークに決定する工程と、
前記移動局が、前記加入者管理サーバ装置によって決定された該移動局の待ち受け無線アクセスネットワークにおいて待ち受けを行う工程とを有することを特徴とする移動通信方法。
【請求項２】
前記第２無線アクセスネットワークの交換局が、受信した前記移動局の位置登録要求信号に含まれる位置登録種別に基づいて、該移動局の能力情報を決定する工程と、
前記第２無線アクセスネットワークの交換局が、決定した前記移動局の能力情報を含む前記位置情報更新信号を、前記加入者管理サーバ装置に対して送信する工程とを有することを特徴とする請求項１に記載の移動通信方法。
【請求項３】
回線交換通信を提供可能な第１無線アクセスネットワーク、及び、回線交換通信を提供できないが該第１無線アクセスネットワークよりも高速なパケット交換通信を提供可能な第２無線アクセスネットワークを具備する移動通信システムにおいて、移動局が待ち受けを行う移動通信方法であって、
前記移動局が、前記第１無線アクセスネットワークの交換局に対して、該移動局の能力情報を含む位置登録要求信号を送信する工程と、
前記第１無線アクセスネットワークの交換局が、受信した前記位置登録要求信号に応じて、加入者管理サーバ装置に対して、前記移動局の位置情報更新信号を送信する工程と、
前記加入者管理サーバ装置が、受信した前記位置情報更新信号に応じて、前記第１無線アクセスネットワークの交換局に対して、前記移動局の加入者情報送信信号及び位置情報更新応答信号を送信する工程と、
前記第１無線アクセスネットワークの交換局が、受信した前記加入者情報送信信号に応じて、受信した前記位置登録要求信号に含まれる前記移動局の能力情報に基づいて、前記第１無線アクセスネットワーク又は前記第２無線アクセスネットワークのどちらかを、該移動局の待ち受け無線アクセスネットワークに決定する工程と、
前記移動局が、前記第１無線アクセスネットワークの交換局によって決定された該移動局の待ち受け無線アクセスネットワークにおいて待ち受けを行う工程とを有することを特徴とする移動通信方法。
【請求項４】
回線交換通信を提供可能な第１無線アクセスネットワーク、及び、回線交換通信を提供できないが該第１無線アクセスネットワークよりも高速なパケット交換通信を提供可能な第２無線アクセスネットワークを具備する移動通信システムにおいて、移動局が待ち受けを行う移動通信方法であって、
前記移動局が、前記第２無線アクセスネットワークの交換局に対して、位置登録種別を含む該移動局の位置登録要求信号を送信する工程と、
前記第２無線アクセスネットワークの交換局が、受信した前記位置登録要求信号に応じて、加入者管理サーバ装置に対して、前記移動局の位置情報更新信号を送信する工程と、
前記加入者管理サーバ装置が、受信した前記位置情報更新信号に応じて、前記第２無線アクセスネットワークの交換局に対して、前記移動局の位置情報更新応答信号を送信する工程と、
前記第２無線アクセスネットワークの交換局が、受信した前記位置登録応答信号に応じて、受信した前記位置登録要求信号に含まれる前記位置登録種別に基づいて決定された前記移動局の能力情報に基づいて、前記第１無線アクセスネットワーク又は前記第２無線アクセスネットワークのどちらかを、該移動局の待ち受け無線アクセスネットワークに決定する工程と、
前記移動局が、前記第２無線アクセスネットワークの交換局によって決定された該移動局の待ち受け無線アクセスネットワークにおいて待ち受けを行う工程とを有することを特徴とする移動通信方法。
【請求項５】
回線交換通信を提供可能な第１無線アクセスネットワーク、及び、回線交換通信を提供できないが該第１無線アクセスネットワークよりも高速なパケット交換通信を提供可能な第２無線アクセスネットワークを具備する移動通信システムであって、
加入者管理サーバ装置は、受信した移動局の位置情報更新信号に含まれる該移動局の能力情報に基づいて、前記第１無線アクセスネットワーク又は前記第２無線アクセスネットワークのどちらかを、該移動局の待ち受け無線アクセスネットワークに決定するように構成されている決定部を具備し、
前記移動局は、前記加入者管理サーバ装置によって決定された該移動局の待ち受け無線アクセスネットワークにおいて待ち受けを行うように構成されている待ち受け処理部を具備することを特徴とする移動通信システム。
【請求項６】
前記第２無線アクセスネットワークの交換局は、
受信した前記移動局の位置登録要求信号に含まれる位置登録種別に基づいて、該移動局の能力情報を決定するように構成されている決定部と、
決定した前記移動局の能力情報を含む前記位置情報更新信号を、前記加入者管理サーバ装置に対して送信するように構成されている送信部とを具備することを特徴とする請求項５に記載の移動通信システム。
【請求項７】
回線交換通信を提供可能な第１無線アクセスネットワーク、及び、回線交換通信を提供できないが該第１無線アクセスネットワークよりも高速なパケット交換通信を提供可能な第２無線アクセスネットワークを具備する移動通信システムであって、
前記第１無線アクセスネットワークの交換局は、加入者管理サーバ装置から受信した位置情報更新応答信号に応じて、移動局から受信した位置登録要求信号に含まれる該移動局の能力情報に基づいて、該第１無線アクセスネットワーク又は前記第２無線アクセスネットワークのどちらかを、該移動局の待ち受け無線アクセスネットワークに決定するように構成されている決定部を具備し、
前記移動局は、前記第１無線アクセスネットワークの交換局によって決定された該移動局の待ち受け無線アクセスネットワークにおいて待ち受けを行うように構成されている待ち受け処理部を具備することを特徴とする移動通信システム。
【請求項８】
回線交換通信を提供可能な第１無線アクセスネットワーク、及び、回線交換通信を提供できないが該第１無線アクセスネットワークよりも高速なパケット交換通信を提供可能な第２無線アクセスネットワークを具備する移動通信システムであって、
前記第２無線アクセスネットワークの交換局は、加入者管理サーバ装置から受信した位置情報更新応答信号に応じて、移動局から受信した位置登録要求信号に含まれる位置登録種別に基づいて決定された該移動局の能力情報に基づいて、該第１無線アクセスネットワーク又は前記第２無線アクセスネットワークのどちらかを、該移動局の待ち受け無線アクセスネットワークに決定するように構成されている決定部を具備し、
前記移動局は、前記第２無線アクセスネットワークの交換局によって決定された該移動局の待ち受け無線アクセスネットワークにおいて待ち受けを行うように構成されている待ち受け処理部を具備することを特徴とする移動通信システム。
【請求項９】
回線交換通信を提供可能な第１無線アクセスネットワーク、及び、回線交換通信を提供できないが該第１無線アクセスネットワークよりも高速なパケット交換通信を提供可能な第２無線アクセスネットワークを具備する移動通信システム内に設けられている加入者管理サーバ装置であって、
受信した移動局の位置情報更新信号に含まれる該移動局の能力情報に基づいて、前記第１無線アクセスネットワーク又は前記第２無線アクセスネットワークのどちらかを、該移動局の待ち受け無線アクセスネットワークに決定するように構成されている決定部と、
前記第１無線アクセスネットワークの交換局又は前記第２無線アクセスネットワークの交換局に対して、決定された前記移動局の待ち受け無線アクセスネットワークの特定情報を含む加入者情報送信信号又は位置情報更新応答信号を送信するように構成されている送信部とを具備することを特徴とする加入者管理サーバ装置。
【請求項１０】
回線交換通信を提供可能な第１無線アクセスネットワーク、及び、回線交換通信を提供できないが該第１無線アクセスネットワークよりも高速なパケット交換通信を提供可能な第２無線アクセスネットワークを具備する移動通信システム内に設けられている該第１無線アクセスネットワークの交換局であって、
加入者管理サーバ装置から受信した加入者情報送信信号に応じて、移動局から受信した位置登録要求信号に含まれる該移動局の能力情報に基づいて、該第１無線アクセスネットワーク又は前記第２無線アクセスネットワークのどちらかを、該移動局の待ち受け無線アクセスネットワークに決定するように構成されている決定部と、
前記第１無線アクセスネットワークの無線アクセスネットワーク装置又は前記第２無線アクセスネットワークの無線アクセスネットワーク装置に対して、決定された前記移動局の待ち受け無線アクセスネットワークの特定情報を含む信号を送信するように構成されている送信部とを具備することを特徴とする交換局。
【請求項１１】
回線交換通信を提供可能な第１無線アクセスネットワーク、及び、回線交換通信を提供できないが該第１無線アクセスネットワークよりも高速なパケット交換通信を提供可能な第２無線アクセスネットワークを具備する移動通信システム内に設けられている該第２無線アクセスネットワークの交換局であって、
加入者管理サーバ装置から受信した位置情報更新応答信号に応じて、移動局から受信した位置登録要求信号に含まれる位置登録種別に基づいて決定された該移動局の能力情報に基づいて、該第１無線アクセスネットワーク又は前記第２無線アクセスネットワークのどちらかを、該移動局の待ち受け無線アクセスネットワークに決定するように構成されている決定部と、
前記第１無線アクセスネットワークの無線アクセスネットワーク装置又は前記第２無線アクセスネットワークの無線アクセスネットワーク装置に対して、決定された前記移動局の待ち受け無線アクセスネットワークの特定情報を含む信号を送信するように構成されている送信部とを具備することを特徴とする交換局。
【発明の詳細な説明】
【技術分野】
【０００１】
本発明は、移動通信方法、移動通信システム、加入者管理サーバ装置及び交換局に関する。
【背景技術】
【０００２】
図１０乃至図１２を参照して、ＷＣＤＭＡ方式の無線アクセスネットワーク及びＬＴＥ（Ｌｏｎｇ  Ｔｅｒｍ  Ｅｖｏｌｕｔｉｏｎ）方式の無線アクセスネットワークを収容するＥＰＣ（Ｅｖｏｌｖｅｄ  Ｐａｃｋｅｔ  Ｃｏｒｅ）ネットワークを具備する移動通信システムにおける移動局ＵＥの待ち受け動作について説明する。図１０に、かかる移動通信システムの構成及び動作の概略を示す。
【０００３】
第１に、図１１を参照して、移動局ＵＥがＬＴＥ方式の無線アクセスネットワークに対して位置登録処理を試みる場合の動作例について説明する。
【０００４】
図１１に示すように、移動局ＵＥは、ステップＳ３００１において、無線基地局ｅＮＢとの間で、ＲＲＣ（Ｒａｄｉｏ  Ｒｅｓｏｕｒｃｅ  Ｃｏｎｔｒｏｌ）コネクションを確立し、ステップＳ３００２において、交換局ＭＭＥに対して、「Ａｔｔａｃｈ  Ｒｅｑｕｅｓｔ」を送信する。
【０００５】
ステップＳ３００３において、移動局ＵＥと交換局ＭＭＥとの間で、移動局ＵＥに対する認証及び秘匿処理が行われた後、ステップＳ３００４において、交換局ＭＭＥは、加入者管理サーバ装置ＨＳＳに対して、「Ｕｐｄａｔｅ  Ｌｏｃａｔｉｏｎ  Ｒｅｑｕｅｓｔ」を送信する。
【０００６】
ステップＳ３００５において、加入者管理サーバ装置ＨＳＳは、かかる移動局ＵＥの契約情報に基づいて、かかる移動局ＵＥが優先的に待ち受けを行うべき「ＲＡＴ（Ｒａｄｉｏ  Ａｃｃｅｓｓ  Ｔｅｃｈｎｏｌｏｇｙ、無線アクセスネットワーク）」を示す「ＲＦＳＰ（ＲＡＴ  Ｆｒｅｑｕｅｎｃｙ  Ｓｅｌｅｃｔｉｏｎ  Ｐｒｉｏｒｉｔｙ）」を決定する。
【０００７】
ステップＳ３００６において、加入者管理サーバ装置ＨＳＳは、交換局ＭＭＥに対して、かかるＲＦＳＰを含む「Ｕｐｄａｔｅ  Ｌｏｃａｔｉｏｎ  Ａｎｓｗｅｒ」を送信する。
【０００８】
交換局ＭＭＥは、ステップＳ３００７において、受信した「Ｕｐｄａｔｅ  Ｌｏｃａｔｉｏｎ  Ａｎｓｗｅｒ」に含まれるＲＦＳＰに対応する「ＳＰＩＤ（Ｓｕｂｓｃｒｉｂｅｒ  Ｐｒｏｆｉｌｅ  ＩＤ  ｆｏｒ  ＲＡＴ/Ｆｒｅｑｕｅｎｃｙ  ｐｒｉｏｒｉｔｙ）」を抽出し、ステップＳ３００８において、無線基地局ｅＮＢに対して、抽出したＳＰＩＤを含む「Ｉｎｉｔｉａｌ  Ｃｏｎｔｅｘｔ  Ｓｅｔｕｐ  Ｒｅｑｕｅｓｔ」を送信する。
【０００９】
ステップＳ３００９において、無線基地局ｅＮＢは、受信した「Ｉｎｉｔｉａｌ  Ｃｏｎｔｅｘｔ  Ｓｅｔｕｐ  Ｒｅｑｕｅｓｔ」に含まれるＳＰＩＤに基づいて、移動局ＵＥに対する待ち受けＲＡＴ指示を行う。
【００１０】
第２に、図１２を参照して、移動局ＵＥがＷＣＤＭＡ方式の無線アクセスネットワークに対して位置登録処理を試みる場合の動作例について説明する。
【００１１】
図１２に示すように、移動局ＵＥは、ステップＳ３１０１において、無線回線制御局ＲＮＣとの間で、ＲＲＣコネクションを確立し、ステップＳ３１０２において、交換局ＳＧＳＮに対して、「Ａｔｔａｃｈ  Ｒｅｑｕｅｓｔ」を送信する。
【００１２】
ステップＳ３１０３において、移動局ＵＥと交換局ＳＧＳＮとの間で、移動局ＵＥに対する認証及び秘匿処理が行われた後、ステップＳ３１０４において、交換局ＳＧＳＮは、加入者管理サーバ装置ＨＳＳに対して、「Ｕｐｄａｔｅ  ＧＰＲＳ  Ｌｏｃａｔｉｏｎ」を送信する。
【００１３】
ステップＳ３１０５において、加入者管理サーバ装置ＨＳＳは、かかる移動局ＵＥの契約情報に基づいて、かかる移動局ＵＥが優先的に待ち受けを行うべきＲＡＴを示す「ＲＦＳＰ」を決定する。
【００１４】
ステップＳ３１０６において、加入者管理サーバ装置ＨＳＳは、交換局ＳＧＳＮに対して、かかるＲＦＳＰを含む「Ｉｎｓｅｒｔ  Ｓｕｂｓｃｒｉｂｅｒ  Ｄａｔａ」を送信し、その応答を受けた後に、「Ｕｐｄａｔｅ  ＧＰＲＳ  Ｌｏｃａｔｉｏｎ  Ａｃｋ」を送信する。
【００１５】
交換局ＳＧＳＮは、ステップＳ３１０７において、受信した「Ｉｎｓｅｒｔ  Ｓｕｂｓｃｒｉｂｅｒ  Ｄａｔａ」に含まれるＲＦＳＰに対応するＳＰＩＤを抽出し、ステップＳ３１０８において、無線回線制御局ＲＮＣに対して、抽出したＳＰＩＤを含む「Ｄｉｒｅｃｔ  Ｔｒａｎｓｆｅｒ」を送信する。
【００１６】
ステップＳ３１０９において、無線回線制御局ＲＮＣは、受信した「Ｄｉｒｅｃｔ  Ｔｒａｎｓｆｅｒ」に含まれるＳＰＩＤに基づいて、移動局ＵＥに対する待ち受けＲＡＴ指示を行う。
【先行技術文献】
【非特許文献】
【００１７】
【非特許文献１】３ＧＰＰ  ＴＳ２３.４０１、４.３.６章
【発明の概要】
【発明が解決しようとする課題】
【００１８】
しかしながら、上述の移動通信システムでは、各移動局ＵＥの待ち受けＲＡＴは、各移動局ＵＥの契約情報に基づいて決定されるため、ＣＳ（Ｃｉｒｃｕｉｔ  Ｓｗｉｔｃｈ、回線交換）通信をサポートしていない移動局ＵＥの待ち受けＲＡＴをＬＴＥ方式の無線アクセスネットワークとして高速な接続時間を実現したり、ＣＳＦＢ（ＣＳ  Ｆａｌｌｂａｃｋ）機能を具備している移動局ＵＥの待ち受けＲＡＴをＷＣＤＭＡ方式の無線アクセスネットワークとしてＣＳ通信の発着信時間を短縮したりすることができないという問題点があった。
【００１９】
そこで、本発明は、上述の課題に鑑みてなされたものであり、移動局ＵＥの能力に応じて待ち受けＲＡＴを決定することができる移動通信方法、移動通信システム、加入者管理サーバ装置及び交換局を提供することを目的とする。
【課題を解決するための手段】
【００２０】
本発明の第１の特徴は、回線交換通信を提供可能な第１無線アクセスネットワーク、及び、回線交換通信を提供できないが該第１無線アクセスネットワークよりも高速なパケット交換通信を提供可能な第２無線アクセスネットワークを具備する移動通信システムにおいて、移動局が待ち受けを行う移動通信方法であって、加入者管理サーバ装置が、受信した前記移動局の位置情報更新信号に含まれる能力情報に基づいて、前記第１無線アクセスネットワーク又は前記第２無線アクセスネットワークのどちらかを、該移動局の待ち受け無線アクセスネットワークに決定する工程と、前記移動局が、前記加入者管理サーバ装置によって決定された該移動局の待ち受け無線アクセスネットワークにおいて待ち受けを行う工程とを有することを要旨とする。
【００２１】
本発明の第２の特徴は、回線交換通信を提供可能な第１無線アクセスネットワーク、及び、回線交換通信を提供できないが該第１無線アクセスネットワークよりも高速なパケット交換通信を提供可能な第２無線アクセスネットワークを具備する移動通信システムにおいて、移動局が待ち受けを行う移動通信方法であって、前記移動局が、前記第１無線アクセスネットワークの交換局に対して、該移動局の能力情報を含む位置登録要求信号を送信する工程と、前記第１無線アクセスネットワークの交換局が、受信した前記位置登録要求信号に応じて、加入者管理サーバ装置に対して、前記移動局の位置情報更新信号を送信する工程と、前記加入者管理サーバ装置が、受信した前記位置情報更新信号に応じて、前記第１無線アクセスネットワークの交換局に対して、前記移動局の位置情報更新応答信号を送信する工程と、前記第１無線アクセスネットワークの交換局が、受信した前記位置情報更新応答信号に応じて、受信した前記位置登録要求信号に含まれる前記移動局の能力情報に基づいて、前記第１無線アクセスネットワーク又は前記第２無線アクセスネットワークのどちらかを、該移動局の待ち受け無線アクセスネットワークに決定する工程と、前記移動局が、前記第１無線アクセスネットワークの交換局によって決定された該移動局の待ち受け無線アクセスネットワークにおいて待ち受けを行う工程とを有することを要旨とする。
【００２２】
本発明の第３の特徴は、回線交換通信を提供可能な第１無線アクセスネットワーク、及び、回線交換通信を提供できないが該第１無線アクセスネットワークよりも高速なパケット交換通信を提供可能な第２無線アクセスネットワークを具備する移動通信システムにおいて、移動局が待ち受けを行う移動通信方法であって、前記移動局が、前記第２無線アクセスネットワークの交換局に対して、位置登録種別を含む該移動局の位置登録要求信号を送信する工程と、前記第２無線アクセスネットワークの交換局が、受信した前記位置登録要求信号に応じて、加入者管理サーバ装置に対して、前記移動局の位置情報更新信号を送信する工程と、前記加入者管理サーバ装置が、受信した前記位置情報更新信号に応じて、前記第２無線アクセスネットワークの交換局に対して、前記移動局の位置情報更新応答信号を送信する工程と、前記第２無線アクセスネットワークの交換局が、受信した前記位置登録応答信号に応じて、受信した前記位置登録要求信号に含まれる前記位置登録種別に基づいて決定された前記移動局の能力情報に基づいて、前記第１無線アクセスネットワーク又は前記第２無線アクセスネットワークのどちらかを、該移動局の待ち受け無線アクセスネットワークに決定する工程と、前記移動局が、前記第２無線アクセスネットワークの交換局によって決定された該移動局の待ち受け無線アクセスネットワークにおいて待ち受けを行う工程とを有することを要旨とする。
【００２３】
本発明の第４の特徴は、回線交換通信を提供可能な第１無線アクセスネットワーク、及び、回線交換通信を提供できないが該第１無線アクセスネットワークよりも高速なパケット交換通信を提供可能な第２無線アクセスネットワークを具備する移動通信システムであって、加入者管理サーバ装置は、受信した移動局の位置情報更新信号に含まれる該移動局の能力情報に基づいて、前記第１無線アクセスネットワーク又は前記第２無線アクセスネットワークのどちらかを、該移動局の待ち受け無線アクセスネットワークに決定するように構成されている決定部を具備し、前記移動局は、前記加入者管理サーバ装置によって決定された該移動局の待ち受け無線アクセスネットワークにおいて待ち受けを行うように構成されている待ち受け処理部を具備することを要旨とする。
【００２４】
本発明の第５の特徴は、回線交換通信を提供可能な第１無線アクセスネットワーク、及び、回線交換通信を提供できないが該第１無線アクセスネットワークよりも高速なパケット交換通信を提供可能な第２無線アクセスネットワークを具備する移動通信システムであって、前記第１無線アクセスネットワークの交換局は、加入者管理サーバ装置から受信した位置情報更新応答信号に応じて、移動局から受信した位置登録要求信号に含まれる該移動局の能力情報に基づいて、該第１無線アクセスネットワーク又は前記第２無線アクセスネットワークのどちらかを、該移動局の待ち受け無線アクセスネットワークに決定するように構成されている決定部を具備し、前記移動局は、前記第１無線アクセスネットワークの交換局によって決定された該移動局の待ち受け無線アクセスネットワークにおいて待ち受けを行うように構成されている待ち受け処理部を具備することを要旨とする。
【００２５】
本発明の第６の特徴は、回線交換通信を提供可能な第１無線アクセスネットワーク、及び、回線交換通信を提供できないが該第１無線アクセスネットワークよりも高速なパケット交換通信を提供可能な第２無線アクセスネットワークを具備する移動通信システムであって、前記第２無線アクセスネットワークの交換局は、加入者管理サーバ装置から受信した位置情報更新応答信号に応じて、移動局から受信した位置登録要求信号に含まれる位置登録種別に基づいて決定された該移動局の能力情報に基づいて、該第１無線アクセスネットワーク又は前記第２無線アクセスネットワークのどちらかを、該移動局の待ち受け無線アクセスネットワークに決定するように構成されている決定部を具備し、前記移動局は、前記第２無線アクセスネットワークの交換局によって決定された該移動局の待ち受け無線アクセスネットワークにおいて待ち受けを行うように構成されている待ち受け処理部を具備することを要旨とする。
【００２６】
本発明の第７の特徴は、回線交換通信を提供可能な第１無線アクセスネットワーク、及び、回線交換通信を提供できないが該第１無線アクセスネットワークよりも高速なパケット交換通信を提供可能な第２無線アクセスネットワークを具備する移動通信システム内に設けられている加入者管理サーバ装置であって、受信した移動局の位置情報更新信号に含まれる該移動局の能力情報に基づいて、前記第１無線アクセスネットワーク又は前記第２無線アクセスネットワークのどちらかを、該移動局の待ち受け無線アクセスネットワークに決定するように構成されている決定部と、前記第１無線アクセスネットワークの交換局又は前記第２無線アクセスネットワークの交換局に対して、決定された前記移動局の待ち受け無線アクセスネットワークの特定情報を含む位置情報更新応答信号を送信するように構成されている送信部とを具備することを要旨とする。
【００２７】
本発明の第８の特徴は、回線交換通信を提供可能な第１無線アクセスネットワーク、及び、回線交換通信を提供できないが該第１無線アクセスネットワークよりも高速なパケット交換通信を提供可能な第２無線アクセスネットワークを具備する移動通信システム内に設けられている該第１無線アクセスネットワークの交換局であって、加入者管理サーバ装置から受信した位置情報更新応答信号に応じて、移動局から受信した位置登録要求信号に含まれる該移動局の能力情報に基づいて、該第１無線アクセスネットワーク又は前記第２無線アクセスネットワークのどちらかを、該移動局の待ち受け無線アクセスネットワークに決定するように構成されている決定部と、前記第１無線アクセスネットワークの無線アクセスネットワーク装置又は前記第２無線アクセスネットワークの無線アクセスネットワーク装置に対して、決定された前記移動局の待ち受け無線アクセスネットワークの特定情報を含む信号を送信するように構成されている送信部とを具備することを要旨とする。
【００２８】
本発明の第９の特徴は、回線交換通信を提供可能な第１無線アクセスネットワーク、及び、回線交換通信を提供できないが該第１無線アクセスネットワークよりも高速なパケット交換通信を提供可能な第２無線アクセスネットワークを具備する移動通信システム内に設けられている該第２無線アクセスネットワークの交換局であって、加入者管理サーバ装置から受信した位置情報更新応答信号に応じて、移動局から受信した位置登録要求信号に含まれる位置登録種別に基づいて決定された該移動局の能力情報に基づいて、該第１無線アクセスネットワーク又は前記第２無線アクセスネットワークのどちらかを、該移動局の待ち受け無線アクセスネットワークに決定するように構成されている決定部と、前記第１無線アクセスネットワークの無線アクセスネットワーク装置又は前記第２無線アクセスネットワークの無線アクセスネットワーク装置に対して、決定された前記移動局の待ち受け無線アクセスネットワークの特定情報を含む信号を送信するように構成されている送信部とを具備することを要旨とする。
【発明の効果】
【００２９】
以上説明したように、本発明によれば、移動局ＵＥの能力に応じて待ち受けＲＡＴを決定することができる移動通信方法、移動通信システム、加入者管理サーバ装置及び交換局を提供することができる。
【図面の簡単な説明】
【００３０】
【図１】本発明の第１の実施形態に係る移動通信システムの全体構成図である。
【図２】本発明の第１の実施形態に係る加入者管理サーバ装置の機能ブロック図である。
【図３】本発明の第１の実施形態に係る交換局の機能ブロック図である。
【図４】本発明の第１の実施形態に係る移動通信システムの動作を示すシーケンス図である。
【図５】本発明の第１の実施形態に係る移動通信システムの動作を示すシーケンス図である。
【図６】本発明の変更例１に係る移動通信システムの全体構成図である。
【図７】本発明の変更例１に係る交換局の機能ブロック図である。
【図８】本発明の変更例１に係る移動通信システムの動作を示すシーケンス図である。
【図９】本発明の変更例１に係る移動通信システムの動作を示すシーケンス図である。
【図１０】従来の移動通信システムの全体構成図である。
【図１１】従来の移動通信システムの動作を示すシーケンス図である。
【図１２】従来の移動通信システムの動作を示すシーケンス図である。
【発明を実施するための形態】
【００３１】
（本発明の第１の実施形態に係る移動通信システム）
図１乃至図５を参照して、本発明の第１の実施形態に係る移動通信システムについて説明する。
【００３２】
図１に示すように、本実施形態に係る移動通信システムは、ＷＣＤＭＡ方式の無線アクセスネットワーク（第１無線アクセスネットワーク）及びＬＴＥ方式の無線アクセスネットワーク（第２無線アクセスネットワーク）を収容するＥＰＣネットワークを具備する。
【００３３】
ここで、ＷＣＤＭＡ方式の無線アクセスネットワークでは、ＣＳ通信が提供されるように構成されている。一方、ＬＴＥ方式の無線アクセスネットワークでは、ＣＳ通信が提供されないが、ＷＣＤＭＡ方式の無線アクセスネットワークよりも高速なＰＳ（Ｐａｃｋｅｔ  Ｓｗｉｔｃｈ、パケット交換）通信が提供されるように構成されている。
【００３４】
図２に示すように、加入者管理サーバ装置ＨＳＳは、受信部１１と、契約情報管理部１２と、決定部１３と、送信部１４とを具備している。
【００３５】
受信部１１は、ＷＣＤＭＡ方式の無線アクセスネットワークの交換局ＳＧＳＮによって送信された「Ｕｐｄａｔｅ  ＧＰＲＳ  Ｌｏｃａｔｉｏｎ（位置情報更新信号）」や、ＬＴＥ方式の無線アクセスネットワークの交換局ＭＭＥによって送信された「Ｕｐｄａｔｅ  Ｌｏｃａｔｉｏｎ  Ｒｅｑｕｅｓｔ（位置情報更新信号）」を受信するように構成されている。
【００３６】
契約情報管理部１２は、各移動局ＵＥの契約情報を管理するように構成されている。例えば、契約情報管理部１２は、各移動局ＵＥの契約情報として、各移動局ＵＥのＲＦＳＰを管理するように構成されている。
【００３７】
決定部１３は、受信部１１によって受信された「Ｕｐｄａｔｅ  ＧＰＲＳ  Ｌｏｃａｔｉｏｎ」又は「Ｕｐｄａｔｅ  Ｌｏｃａｔｉｏｎ  Ｒｅｑｕｅｓｔ」に含まれているＣＳＦＢ能力有無情報に基づいて、移動局ＵＥの待ち受けＲＡＴに対応するＲＦＳＰを決定するように構成されている。
【００３８】
ここで、ＣＳＦＢ能力有無情報は、移動局ＵＥが、ＣＳＦＢ機能を具備している否かについて示す能力情報の一種である。
【００３９】
例えば、決定部１３は、図２に示すような「ＣＳＦＢ能力」と「待ち受けＲＡＴ」とを対応付けるテーブルを管理しており、上述のＣＳＦＢ能力有無情報が「ＣＳＦＢ能力」＝「有」を示す場合、かかる移動局ＵＥの待ち受けＲＡＴをＷＣＤＭＡ方式の無線アクセスネットワークとし、上述のＣＳＦＢ能力有無情報が「ＣＳＦＢ能力」＝「無」を示す場合、かかる移動局ＵＥの待ち受けＲＡＴをＬＴＥ方式の無線アクセスネットワークとしてもよい。
【００４０】
なお、決定部１３は、受信部１１によって受信された「Ｕｐｄａｔｅ  ＧＰＲＳ  Ｌｏｃａｔｉｏｎ」又は「Ｕｐｄａｔｅ  Ｌｏｃａｔｉｏｎ  Ｒｅｑｕｅｓｔ」にＣＳＦＢ能力有無情報が含まれていない場合等の所定条件が満たされる場合に、かかるＣＳＦＢ能力有無情報ではなく、契約情報管理部１２によって管理されている移動局ＵＥのＲＦＳＰに基づいて、移動局ＵＥの待ち受けＲＡＴに対応するＲＦＳＰを決定するように構成されていてもよい。
【００４１】
送信部１４は、決定部１３によって決定されたＲＦＳＰを含む「Ｕｐｄａｔｅ  Ｌｏｃａｔｉｏｎ  Ａｎｓｗｅｒ（位置情報更新応答信号）」を交換局ＭＭＥに送信したり、決定部１３によって決定されたＲＦＳＰを含む「Ｉｎｓｅｒｔ  Ｓｕｂｓｃｒｉｂｅｒ  Ｄａｔａ（加入者情報送信信号）」を送信し、その応答を受信した後に、「Ｕｐｄａｔｅ  ＧＰＲＳ  Ｌｏｃａｔｉｏｎ  Ａｃｋ（位置情報更新応答信号）」を交換局ＳＧＳＮに送信したりするように構成されている。
【００４２】
図３に示すように、交換局ＭＭＥは、受信部２１と、決定部２２と、送信部２３とを具備している。
【００４３】
受信部２１は、移動局ＵＥによって送信された「Ａｔｔａｃｈ  Ｒｅｑｕｅｓｔ/Ｔｒａｃｋｉｎｇ  Ａｒｅａ  Ｕｐｄａｔｅ（位置登録要求信号）」や、加入者管理サーバ装置ＨＳＳによって送信された「Ｕｐｄａｔｅ  Ｌｏｃａｔｉｏｎ  Ａｎｓｗｅｒ」を受信するように構成されている。
【００４４】
決定部２２は、受信部２１によって受信された移動局ＵＥの「Ａｔｔａｃｈ  Ｒｅｑｕｅｓｔ/Ｔｒａｃｋｉｎｇ  Ａｒｅａ  Ｕｐｄａｔｅ（位置登録要求信号）」に含まれる位置登録種別に基づいて、移動局ＵＥのＣＳＦＢ能力有無情報を決定するように構成されている。
【００４５】
例えば、決定部２２は、図３に示すような「位置登録種別」と「ＣＳＦＢ能力」とを対応付けるテーブルを管理しており、受信部２１によって受信された移動局ＵＥの「Ａｔｔａｃｈ  Ｒｅｑｕｅｓｔ/Ｔｒａｃｋｉｎｇ  Ａｒｅａ  Ｕｐｄａｔｅ」に含まれる位置登録種別が「ＰＳ単独位置登録」である場合、移動局ＵＥのＣＳＦＢ能力有無情報を「ＣＳＦＢ能力」＝「無」を示すＣＳＦＢ能力有無情報と決定し、受信部２１によって受信された移動局ＵＥの「Ａｔｔａｃｈ  Ｒｅｑｕｅｓｔ/Ｔｒａｃｋｉｎｇ  Ａｒｅａ  Ｕｐｄａｔｅ」に含まれる位置登録種別が「ＣＳ連携位置登録」である場合、移動局ＵＥのＣＳＦＢ能力有無情報を「ＣＳＦＢ能力」＝「有」を示すＣＳＦＢ能力有無情報と決定してもよい。
【００４６】
送信部２３は、決定部２２によって決定された移動局ＵＥのＣＳＦＢ能力有無情報を含む「Ｕｐｄａｔｅ  Ｌｏｃａｔｉｏｎ  Ｒｅｑｕｅｓｔ」を、加入者管理サーバ装置ＨＳＳに送信するように構成されている。
【００４７】
また、送信部２３は、受信部２１によって受信された「Ｕｐｄａｔｅ  Ｌｏｃａｔｉｏｎ  Ａｎｓｗｅｒ」に含まれているＲＦＳＰに対応するＳＰＩＤを含む「Ｉｎｉｔｉａｌ  Ｃｏｎｔｅｘｔ  Ｓｅｔｕｐ」を、無線基地局ｅＮＢに対して送信するように構成されている。
【００４８】
以下、図４及び図５を参照して、本実施形態に係る移動通信システムの動作について説明する。
【００４９】
第１に、図４を参照して、移動局ＵＥがＬＴＥ方式の無線アクセスネットワークに対して位置登録処理を試みる場合の動作例について説明する。
【００５０】
図４に示すように、移動局ＵＥは、ステップＳ１００１において、無線基地局ｅＮＢとの間で、ＲＲＣコネクションを確立し、ステップＳ１００２において、交換局ＭＭＥに対して、位置登録種別を含む「Ａｔｔａｃｈ  Ｒｅｑｕｅｓｔ」を送信する。
【００５１】
ステップＳ１００３において、移動局ＵＥと交換局ＭＭＥとの間で、移動局ＵＥに対する認証及び秘匿処理が行われた後、ステップＳ１００４において、交換局ＭＭＥは、「Ａｔｔａｃｈ  Ｒｅｑｕｅｓｔ」に含まれる位置登録種別に対応するＣＳＦＢ能力有無情報を決定し、加入者管理サーバ装置ＨＳＳに対して、決定したＣＳＦＢ能力有無情報を含む「Ｕｐｄａｔｅ  Ｌｏｃａｔｉｏｎ  Ｒｅｑｕｅｓｔ」を送信する。
【００５２】
ステップＳ１００５において、加入者管理サーバ装置ＨＳＳは、移動局ＵＥの契約情報として管理されているＲＦＳＰを、「Ｕｐｄａｔｅ  Ｌｏｃａｔｉｏｎ  Ｒｅｑｕｅｓｔ」に含まれる移動局ＵＥのＣＳＦＢ能力有無情報に対応するＲＦＳＰに書き換える。
【００５３】
ステップＳ１００６において、加入者管理サーバ装置ＨＳＳは、交換局ＭＭＥに対して、書き換えられたＲＦＳＰを含む「Ｕｐｄａｔｅ  Ｌｏｃａｔｉｏｎ  Ａｎｓｗｅｒ」を送信する。
【００５４】
交換局ＭＭＥは、ステップＳ１００７において、受信した「Ｕｐｄａｔｅ  Ｌｏｃａｔｉｏｎ  Ａｎｓｗｅｒ」に含まれるＲＦＳＰに対応するＳＰＩＤを抽出し、ステップＳ１００８において、無線基地局ｅＮＢに対して、抽出したＳＰＩＤを含む「Ｉｎｉｔｉａｌ  Ｃｏｎｔｅｘｔ  Ｓｅｔｕｐ  Ｒｅｑｕｅｓｔ」を送信する。
【００５５】
ステップＳ１００９において、無線基地局ｅＮＢは、受信した「Ｉｎｉｔｉａｌ  Ｃｏｎｔｅｘｔ  Ｓｅｔｕｐ  Ｒｅｑｕｅｓｔ」に含まれるＳＰＩＤに基づいて、移動局ＵＥに対する待ち受けＲＡＴ指示を行う。
【００５６】
第２に、図５を参照して、移動局ＵＥがＷＣＤＭＡ方式の無線アクセスネットワークに対して位置登録処理を試みる場合の動作例について説明する。
【００５７】
図５に示すように、移動局ＵＥは、ステップＳ１１０１において、無線回線制御局ＲＮＣとの間で、ＲＲＣコネクションを確立し、ステップＳ１１０２において、交換局ＳＧＳＮに対して、移動局ＵＥのＣＳＦＢ能力有無情報を含む「Ａｔｔａｃｈ  Ｒｅｑｕｅｓｔ」を送信する。
【００５８】
ステップＳ１１０３において、移動局ＵＥと交換局ＳＧＳＮとの間で、移動局ＵＥに対する認証及び秘匿処理が行われた後、ステップＳ１１０４において、交換局ＳＧＳＮは、加入者管理サーバ装置ＨＳＳに対して、「Ａｔｔａｃｈ  Ｒｅｑｕｅｓｔ」に含まれている移動局ＵＥのＣＳＦＢ能力有無情報を含む「Ｕｐｄａｔｅ  ＧＰＲＳ  Ｌｏｃａｔｉｏｎ」を送信する。
【００５９】
ステップＳ１１０５において、加入者管理サーバ装置ＨＳＳは、移動局ＵＥの契約情報として管理されているＲＦＳＰを、「Ｕｐｄａｔｅ  ＧＰＲＳ  Ｌｏｃａｔｉｏｎ」に含まれる移動局ＵＥのＣＳＦＢ能力有無情報に対応するＲＦＳＰに書き換える。
【００６０】
ステップＳ１１０６において、加入者管理サーバ装置ＨＳＳは、交換局ＳＧＳＮに対して、書き換えられたＲＦＳＰを含む「Ｉｎｓｅｒｔ  Ｓｕｂｓｃｒｉｂｅｒ  Ｄａｔａ」を送信し、その応答を受信した後に、「Ｕｐｄａｔｅ  ＧＰＲＳ  Ｌｏｃａｔｉｏｎ  Ａｃｋ」を送信する。
【００６１】
交換局ＳＧＳＮは、ステップＳ１１０７において、受信した「Ｉｎｓｅｒｔ  Ｓｕｂｓｃｒｉｂｅｒ  Ｄａｔａ」に含まれるＲＦＳＰに対応するＳＰＩＤを抽出し、ステップＳ１１０８において、無線回線制御局ＲＮＣに対して、抽出したＳＰＩＤを含む「Ｄｉｒｅｃｔ  Ｔｒａｎｓｆｅｒ」を送信する。
【００６２】
ステップＳ１１０９において、無線回線制御局ＲＮＣは、受信した「Ｄｉｒｅｃｔ  Ｔｒａｎｓｆｅｒ」に含まれるＳＰＩＤに基づいて、移動局ＵＥに対する待ち受けＲＡＴ指示を行う。
【００６３】
本発明の第１の実施形態に係る移動通信システムによれば、移動管理サーバ装置ＨＳＳが、移動局ＵＥにＣＳＦＢ機能が備えられているか否かについて示すＣＳＦＢ能力有無情報に基づいて、移動局ＵＥの待ち受けＲＡＴを決定することができるため、ＣＳ通信をサポートしていない移動局ＵＥの待ち受けＲＡＴをＬＴＥ方式の無線アクセスネットワークとして高速な接続時間を実現したり、ＣＳＦＢ機能を具備している移動局ＵＥの待ち受けＲＡＴをＷＣＤＭＡ方式の無線アクセスネットワークとしてＣＳ通信の発着信時間を短縮したりすることができる。
【００６４】
また、本発明の第１の実施形態に係る移動通信システムによれば、交換局ＭＭＥが、移動局ＵＥによって送信された「Ａｔｔａｃｈ  Ｒｅｑｕｅｓｔ/Ｔｒａｃｋｉｎｇ  Ａｒｅａ  Ｕｐｄａｔｅ」に含まれる位置登録種別をＣＳＦＢ能力有無情報に変換することができるため、ＣＳＦＢ能力有無情報を送信することができないＬＴＥ方式の無線アクセスネットワークにおいても、移動局ＵＥの能力（ＣＳＦＢ機能の装備状況）に応じて、移動局ＵＥの待ち受けＲＡＴを決定することができる。
【００６５】
（変更例１）
図６乃至図９を参照して、本発明の変更例１に係る移動通信システムについて説明する。以下、本発明の変更例１に係る移動通信システムについて、上述の第１の実施形態に係る移動通信システムとの相違点に着目して説明する。
【００６６】
図７に示すように、交換局ＭＭＥ及び交換局ＳＧＳＮは、受信部２１と、決定部２２と、送信部２３とを具備している。
【００６７】
交換局ＳＧＳＮにおける受信部２１は、移動局ＵＥによって送信された「Ａｔｔａｃｈ  Ｒｅｑｕｅｓｔ/Ｒｏｕｔｉｎｇ  Ａｒｅａ  Ｕｐｄａｔｅ（位置登録要求信号）」や、加入者管理サーバ装置ＨＳＳによって送信された「Ｉｎｓｅｒｔ  Ｓｕｂｓｃｒｉｂｅｒ  Ｄａｔａ（加入者情報送信信号）」や「Ｕｐｄａｔｅ  ＧＰＲＳ  Ｌｏｃａｔｉｏｎ  Ａｃｋ（位置情報更新応答信号）」を受信するように構成されている。
【００６８】
交換局ＳＧＳＮにおける決定部２２は、加入者管理サーバ装置ＨＳＳから受信した「Ｉｎｓｅｒｔ  Ｓｕｂｓｃｒｉｂｅｒ  Ｄａｔａ」に応じて、移動局ＵＥから受信した「Ａｔｔａｃｈ  Ｒｅｑｕｅｓｔ/Ｒｏｕｔｉｎｇ  Ａｒｅａ  Ｕｐｄａｔｅ」に含まれる移動局ＵＥのＣＳＦＢ能力有無情報に基づいて、ＷＣＤＭＡ方式の無線アクセスネットワーク又はＬＴＥ方式の無線アクセスネットワークのどちらかを、移動局ＵＥの待ち受け無線アクセスネットワークに決定するように構成されている。
【００６９】
一方、交換局ＭＭＥにおける決定部２２は、加入者管理サーバ装置ＨＳＳから受信した「Ｕｐｄａｔｅ  Ｌｏｃａｔｉｏｎ  Ａｎｓｗｅｒ」に応じて、移動局ＵＥから受信した「Ａｔｔａｃｈ  Ｒｅｑｕｅｓｔ/Ｔｒａｃｋｉｎｇ  Ａｒｅａ  Ｕｐｄａｔｅ」に含まれる位置登録種別に基づいて決定された移動局ＵＥのＣＳＦＢ能力有無情報に基づいて、ＷＣＤＭＡ方式の無線アクセスネットワーク又はＬＴＥ方式の無線アクセスネットワークのどちらかを、移動局ＵＥの待ち受け無線アクセスネットワークに決定するように構成されている。
【００７０】
例えば、決定部２２は、図７に示すような「ＣＳＦＢ能力」と「待ち受けＲＡＴ」とを対応付けるテーブルを管理しており、上述のＣＳＦＢ能力有無情報が「ＣＳＦＢ能力」＝「有」を示す場合、かかる移動局ＵＥの待ち受けＲＡＴをＷＣＤＭＡ方式の無線アクセスネットワークとし、上述のＣＳＦＢ能力有無情報が「ＣＳＦＢ能力」＝「無」を示す場合、かかる移動局ＵＥの待ち受けＲＡＴをＬＴＥ方式の無線アクセスネットワークとしてもよい。
【００７１】
交換局ＳＧＳＮにおける送信部２３は、ＷＣＤＭＡ方式の無線アクセスネットワークの無線回線制御局ＲＮＣ（無線アクセスネットワーク装置）に対して、決定された移動局ＵＥの待ち受け無線アクセスネットワークの特定情報（ＳＰＩＤ）を含む「Ｄｉｒｅｃｔ  Ｔｒａｎｓｆｅｒ（信号）」を送信するように構成されている。
【００７２】
以下、図８及び図９を参照して、本変更例１に係る移動通信システムの動作について説明する。
【００７３】
第１に、図８を参照して、移動局ＵＥがＬＴＥ方式の無線アクセスネットワークに対して位置登録処理を試みる場合の動作例について説明する。
【００７４】
図８に示すように、移動局ＵＥは、ステップＳ２００１において、無線基地局ｅＮＢとの間で、ＲＲＣコネクションを確立し、ステップＳ２００２において、交換局ＭＭＥに対して、位置登録種別を含む「Ａｔｔａｃｈ  Ｒｅｑｕｅｓｔ」を送信する。
【００７５】
ステップＳ２００３において、移動局ＵＥと交換局ＭＭＥとの間で、移動局ＵＥに対する認証及び秘匿処理が行われた後、ステップＳ２００４において、交換局ＭＭＥは、加入者管理サーバ装置ＨＳＳに対して、「Ｕｐｄａｔｅ  Ｌｏｃａｔｉｏｎ  Ｒｅｑｕｅｓｔ」を送信する。
【００７６】
加入者管理サーバ装置ＨＳＳは、ステップＳ２００５において、移動局ＵＥの契約情報として管理されているＲＦＳＰを読み出し、ステップＳ２００６において、交換局ＭＭＥに対して、読み出したＲＦＳＰを含む「Ｕｐｄａｔｅ  Ｌｏｃａｔｉｏｎ  Ａｎｓｗｅｒ」を送信する。
【００７７】
交換局ＭＭＥは、ステップＳ２００７において、受信した「Ｕｐｄａｔｅ  Ｌｏｃａｔｉｏｎ  Ａｎｓｗｅｒ」に含まれるＲＦＳＰを無視して、「Ａｔｔａｃｈ  Ｒｅｑｕｅｓｔ」に含まれる位置登録種別に対応するＣＳＦＢ能力有無情報に基づいて移動局ＵＥのＲＦＳＰを決定し、かかるＲＦＳＰに対応するＳＰＩＤを抽出し、ステップＳ２００８において、無線基地局ｅＮＢに対して、抽出したＳＰＩＤを含む「Ｉｎｉｔｉａｌ  Ｃｏｎｔｅｘｔ  Ｓｅｔｕｐ  Ｒｅｑｕｅｓｔ」を送信する。
【００７８】
ステップＳ２００９において、無線基地局ｅＮＢは、受信した「Ｉｎｉｔｉａｌ  Ｃｏｎｔｅｘｔ  Ｓｅｔｕｐ  Ｒｅｑｕｅｓｔ」に含まれるＳＰＩＤに基づいて、移動局ＵＥに対する待ち受けＲＡＴ指示を行う。
【００７９】
第２に、図９を参照して、移動局ＵＥがＷＣＤＭＡ方式の無線アクセスネットワークに対して位置登録処理を試みる場合の動作例について説明する。
【００８０】
図９に示すように、移動局ＵＥは、ステップＳ２１０１において、無線回線制御局ＲＮＣとの間で、ＲＲＣコネクションを確立し、ステップＳ２１０２において、交換局ＳＧＳＮに対して、移動局ＵＥのＣＳＦＢ能力有無情報を含む「Ａｔｔａｃｈ  Ｒｅｑｕｅｓｔ」を送信する。
【００８１】
ステップＳ２１０３において、移動局ＵＥと交換局ＳＧＳＮとの間で、移動局ＵＥに対する認証及び秘匿処理が行われた後、ステップＳ２１０４において、交換局ＳＧＳＮは、加入者管理サーバ装置ＨＳＳに対して、「Ｕｐｄａｔｅ  ＧＰＲＳ  Ｌｏｃａｔｉｏｎ」を送信する。
【００８２】
ステップＳ２１０５において、加入者管理サーバ装置ＨＳＳは、移動局ＵＥの契約情報として管理されているＲＦＳＰを読み出し、ステップＳ２１０６において、交換局ＳＧＳＮに対して、読み出したＲＦＳＰを含む「Ｉｎｓｅｒｔ  Ｓｕｂｓｃｒｉｂｅｒ  Ｄａｔａ」を送信し、その応答を受信した後に、「Ｕｐｄａｔｅ  ＧＰＲＳ  Ｌｏｃａｔｉｏｎ  Ａｃｋ」を送信する。
【００８３】
交換局ＳＧＳＮは、ステップＳ２１０７において、受信した「Ｉｎｓｅｒｔ  Ｓｕｂｓｃｒｉｂｅｒ  Ｄａｔａ」に含まれるＲＦＳＰを無視して、「Ａｔｔａｃｈ  Ｒｅｑｕｅｓｔ」に含まれるＣＳＦＢ能力有無情報に基づいて移動局ＵＥのＲＦＳＰを決定し、かかるＲＦＳＰに対応するＳＰＩＤを抽出し、ステップＳ２１０８において、無線基地局ｅＮＢに対して、抽出したＳＰＩＤを含む「Ｄｉｒｅｃｔ  Ｔｒａｎｓｆｅｒ」を送信する。
【００８４】
ステップＳ２１０９において、無線回線制御局ＲＮＣは、受信した「Ｄｉｒｅｃｔ  Ｔｒａｎｓｆｅｒ」に含まれるＳＰＩＤに基づいて、移動局ＵＥに対する待ち受けＲＡＴ指示を行う。
【００８５】
本変更例１に係る移動通信システムによれば、交換局ＳＧＳＮ又は交換局ＭＭＥが、移動局ＵＥにＣＳＦＢ機能が備えられているか否かについて示すＣＳＦＢ能力有無情報に基づいて、移動局ＵＥの待ち受けＲＡＴを決定することができるため、ＣＳ通信をサポートしていない移動局ＵＥの待ち受けＲＡＴをＬＴＥ方式の無線アクセスネットワークとして高速な接続時間を実現したり、ＣＳＦＢ機能を具備している移動局ＵＥの待ち受けＲＡＴをＷＣＤＭＡ方式の無線アクセスネットワークとしてＣＳ通信の発着信時間を短縮したりすることができる。
【００８６】
以上に述べた本実施形態の特徴は、以下のように表現されていてもよい。
【００８７】
本実施形態の第１の特徴は、ＣＳ（回線交換）通信を提供可能なＷＣＤＭＡ方式の無線アクセスネットワーク（第１無線アクセスネットワーク）、及び、ＣＳ通信を提供できないがＷＣＤＭＡ方式の無線アクセスネットワークよりも高速なＰＳ（パケット交換）通信を提供可能なＬＴＥ方式の無線アクセスネットワーク（第２無線アクセスネットワーク）を具備する移動通信システムにおいて、移動局ＵＥが待ち受けを行う移動通信方法であって、加入者管理サーバ装置ＨＳＳが、受信した移動局ＵＥの「Ｕｐｄａｔｅ  ＧＰＲＳ  Ｌｏｃａｔｉｏｎ/Ｕｐｄａｔｅ  Ｌｏｃａｔｉｏｎ  Ｒｅｑｕｅｓｔ（位置情報更新信号）」に含まれるＣＳＦＢ能力有無情報（能力情報）に基づいて、ＷＣＤＭＡ方式の無線アクセスネットワーク又はＬＴＥ方式の無線アクセスネットワークのどちらかを、移動局ＵＥの待ち受け無線アクセスネットワークに決定する工程と、移動局ＵＥが、加入者管理サーバ装置ＨＳＳによって決定された移動局ＵＥの待ち受け無線アクセスネットワークにおいて待ち受けを行う工程とを有することを要旨とする。
【００８８】
本実施形態の第１の特徴において、ＬＴＥ方式の無線アクセスネットワークの交換局ＭＭＥが、受信した移動局ＵＥの「Ａｔｔａｃｈ  Ｒｅｑｕｅｓｔ/Ｔｒａｃｋｉｎｇ  Ａｒｅａ  Ｕｐｄａｔｅ（位置登録要求信号）」に含まれる位置登録種別に基づいて、移動局ＵＥのＣＳＦＢ能力有無情報を決定する工程と、交換局ＭＭＥが、決定した移動局ＵＥのＣＳＦＢ能力有無情報を含む「Ｕｐｄａｔｅ  Ｌｏｃａｔｉｏｎ  Ｒｅｑｕｅｓｔ」を、加入者管理サーバ装置ＨＳＳに対して送信する工程とを有してもよい。
【００８９】
本実施形態の第２の特徴は、ＷＣＤＭＡ方式の無線アクセスネットワーク及びＬＴＥ方式の無線アクセスネットワークを具備する移動通信システムにおいて、移動局ＵＥが待ち受けを行う移動通信方法であって、移動局ＵＥが、ＷＣＤＭＡ方式の無線アクセスネットワークの交換局ＳＧＳＮに対して、移動局ＵＥのＣＳＦＢ能力有無情報を含む「Ａｔｔａｃｈ  Ｒｅｑｕｅｓｔ/Ｒｏｕｔｉｎｇ  Ａｒｅａ  Ｕｐｄａｔｅ」を送信する工程と、交換局ＳＧＳＮが、受信した「Ａｔｔａｃｈ  Ｒｅｑｕｅｓｔ/Ｒｏｕｔｉｎｇ  Ａｒｅａ  Ｕｐｄａｔｅ」に応じて、加入者管理サーバ装置ＨＳＳに対して、移動局ＵＥの「Ｕｐｄａｔｅ  ＧＰＲＳ  Ｌｏｃａｔｉｏｎ」を送信する工程と、加入者管理サーバ装置ＨＳＳが、受信した「Ｕｐｄａｔｅ  ＧＰＲＳ  Ｌｏｃａｔｉｏｎ」に応じて、交換局ＳＧＳＮに対して、移動局ＵＥの「Ｉｎｓｅｒｔ  Ｓｕｂｓｃｒｉｂｅｒ  Ｄａｔａ（加入者情報送信信号）」や「Ｕｐｄａｔｅ  ＧＰＲＳ  Ｌｏｃａｔｉｏｎ  Ａｃｋ（位置情報更新応答信号）」を送信する工程と、交換局ＳＧＳＮが、受信した「Ｉｎｓｅｒｔ  Ｓｕｂｓｃｒｉｂｅｒ  Ｄａｔａ」に応じて、受信した「Ａｔｔａｃｈ  Ｒｅｑｕｅｓｔ/Ｒｏｕｔｉｎｇ  Ａｒｅａ  Ｕｐｄａｔｅ」に含まれる移動局ＵＥのＣＳＦＢ能力有無情報に基づいて、ＷＣＤＭＡ方式の無線アクセスネットワーク又はＬＴＥ方式の無線アクセスネットワークのどちらかを、移動局ＵＥの待ち受け無線アクセスネットワークに決定する工程と、移動局ＵＥが、交換局ＳＧＳＮによって決定された移動局ＵＥの待ち受け無線アクセスネットワークにおいて待ち受けを行う工程とを有することを要旨とする。
【００９０】
本実施形態の第３の特徴は、ＷＣＤＭＡ方式の無線アクセスネットワーク及びＬＴＥ方式の無線アクセスネットワークを具備する移動通信システムにおいて、移動局ＵＥが待ち受けを行う移動通信方法であって、移動局ＵＥが、交換局ＭＭＥに対して、位置登録種別を含む移動局ＵＥの「Ａｔｔａｃｈ  Ｒｅｑｕｅｓｔ/Ｔｒａｃｋｉｎｇ  Ａｒｅａ  Ｕｐｄａｔｅ」を送信する工程と、交換局ＭＭＥが、受信した「Ａｔｔａｃｈ  Ｒｅｑｕｅｓｔ/Ｔｒａｃｋｉｎｇ  Ａｒｅａ  Ｕｐｄａｔｅ」に応じて、加入者管理サーバ装置ＨＳＳに対して、移動局ＵＥの「Ｕｐｄａｔｅ  Ｌｏｃａｔｉｏｎ  Ｒｅｑｕｅｓｔ」を送信する工程と、加入者管理サーバ装置ＨＳＳが、受信した「Ｕｐｄａｔｅ  Ｌｏｃａｔｉｏｎ  Ｒｅｑｕｅｓｔ」に応じて、交換局ＭＭＥに対して、移動局ＵＥの「Ｕｐｄａｔｅ  Ｌｏｃａｔｉｏｎ  Ａｎｓｗｅｒ」を送信する工程と、交換局ＭＭＥが、受信した「Ｕｐｄａｔｅ  Ｌｏｃａｔｉｏｎ  Ａｎｓｗｅｒ」に応じて、受信した「Ａｔｔａｃｈ  Ｒｅｑｕｅｓｔ/Ｔｒａｃｋｉｎｇ  Ａｒｅａ  Ｕｐｄａｔｅ」に含まれる位置登録種別に基づいて決定された移動局ＵＥのＣＳＦＢ能力有無情報に基づいて、ＷＣＤＭＡ方式の無線アクセスネットワーク又はＬＴＥ方式の無線アクセスネットワークのどちらかを、移動局ＵＥの待ち受け無線アクセスネットワークに決定する工程と、移動局ＵＥが、交換局ＭＭＥによって決定された移動局ＵＥの待ち受け無線アクセスネットワークにおいて待ち受けを行う工程とを有することを要旨とする。
【００９１】
本実施形態の第４の特徴は、ＷＣＤＭＡ方式の無線アクセスネットワーク及びＬＴＥ方式の無線アクセスネットワークを具備する移動通信システムであって、  加入者管理サーバ装置ＨＳＳは、受信した移動局ＵＥの「Ｕｐｄａｔｅ  ＧＰＲＳ  Ｌｏｃａｔｉｏｎ/Ｕｐｄａｔｅ  Ｌｏｃａｔｉｏｎ  Ｒｅｑｕｅｓｔ」に含まれる移動局ＵＥのＣＳＦＢ能力有無情報に基づいて、ＷＣＤＭＡ方式の無線アクセスネットワーク又はＬＴＥ方式の無線アクセスネットワークのどちらかを、移動局ＵＥの待ち受け無線アクセスネットワークに決定するように構成されている決定部１３を具備し、移動局ＵＥは、加入者管理サーバ装置ＨＳＳによって決定された移動局ＵＥの待ち受け無線アクセスネットワークにおいて待ち受けを行うように構成されている待ち受け処理部を具備することを要旨とする。
【００９２】
本実施形態の第４の特徴において、交換局ＭＭＥは、受信した移動局ＵＥの「Ａｔｔａｃｈ  Ｒｅｑｕｅｓｔ/Ｔｒａｃｋｉｎｇ  Ａｒｅａ  Ｕｐｄａｔｅ」に含まれる位置登録種別に基づいて、移動局ＵＥのＣＳＦＢ能力有無情報を決定するように構成されている決定部２２と、決定した移動局ＵＥのＣＳＦＢ能力有無情報を含む「Ｕｐｄａｔｅ  Ｌｏｃａｔｉｏｎ  Ｒｅｑｕｅｓｔ」を、加入者管理サーバ装置ＨＳＳに対して送信するように構成されている送信部２３とを具備してもよい。
【００９３】
本実施形態の第５の特徴は、ＷＣＤＭＡ方式の無線アクセスネットワーク及びＬＴＥ方式の無線アクセスネットワークを具備する移動通信システムであって、交換局ＳＧＳＮは、加入者管理サーバ装置ＨＳＳから受信した「Ｕｐｄａｔｅ  ＧＰＲＳ  Ｌｏｃａｔｉｏｎ  Ａｃｋ」に応じて、移動局ＵＥから受信した「Ａｔｔａｃｈ  Ｒｅｑｕｅｓｔ/Ｒｏｕｔｉｎｇ  Ａｒｅａ  Ｕｐｄａｔｅ」に含まれる移動局ＵＥのＣＳＦＢ能力有無情報に基づいて、ＷＣＤＭＡ方式の無線アクセスネットワーク又はＬＴＥ方式の無線アクセスネットワークのどちらかを、移動局ＵＥの待ち受け無線アクセスネットワークに決定するように構成されている決定部２２を具備し、移動局ＵＥは、交換局ＳＧＳＮによって決定された移動局ＵＥの待ち受け無線アクセスネットワークにおいて待ち受けを行うように構成されている待ち受け処理部を具備することを要旨とする。
【００９４】
本実施形態の第５の特徴は、ＷＣＤＭＡ方式の無線アクセスネットワーク及びＬＴＥ方式の無線アクセスネットワークを具備する移動通信システムであって、交換局ＭＭＥは、加入者管理サーバ装置ＨＳＳから受信した「Ｕｐｄａｔｅ  Ｌｏｃａｔｉｏｎ  Ａｎｓｗｅｒ」に応じて、移動局ＵＥから受信した「Ａｔｔａｃｈ  Ｒｅｑｕｅｓｔ/Ｔｒａｃｋｉｎｇ  Ａｒｅａ  Ｕｐｄａｔｅ」に含まれる位置登録種別に基づいて決定された移動局ＵＥのＣＳＦＢ能力有無情報に基づいて、ＷＣＤＭＡ方式の無線アクセスネットワーク又はＬＴＥ方式の無線アクセスネットワークのどちらかを、移動局ＵＥの待ち受け無線アクセスネットワークに決定するように構成されている決定部２２を具備し、移動局ＵＥは、交換局ＭＭＥによって決定された該移動局の待ち受け無線アクセスネットワークにおいて待ち受けを行うように構成されている待ち受け処理部を具備することを要旨とする。
【００９５】
本実施形態の第６の特徴は、ＷＣＤＭＡ方式の無線アクセスネットワーク及びＬＴＥ方式の無線アクセスネットワークを具備する移動通信システム内に設けられている加入者管理サーバ装置ＨＳＳであって、受信した移動局ＵＥの「Ｕｐｄａｔｅ  ＧＰＲＳ  Ｌｏｃａｔｉｏｎ/Ｕｐｄａｔｅ  Ｌｏｃａｔｉｏｎ  Ｒｅｑｕｅｓｔ」に含まれる移動局ＵＥのＣＳＦＢ能力有無情報に基づいて、ＷＣＤＭＡ方式の無線アクセスネットワーク又はＬＴＥ方式の無線アクセスネットワークのどちらかを、移動局ＵＥの待ち受け無線アクセスネットワークに決定するように構成されている決定部１３と、交換局ＳＧＳＮ又は交換局ＭＭＥに対して、決定された移動局ＵＥの待ち受け無線アクセスネットワークの特定情報（ＲＦＳＰ）を含む「Ｉｎｓｅｒｔ  Ｓｕｂｓｃｒｉｂｅｒ  Ｄａｔａ/Ｕｐｄａｔｅ  Ｌｏｃａｔｉｏｎ  Ａｎｓｗｅｒ」を送信するように構成されている送信部１４とを具備することを要旨とする。
【００９６】
本実施形態の第７の特徴は、ＷＣＤＭＡ方式の無線アクセスネットワーク及びＬＴＥ方式の無線アクセスネットワークを具備する移動通信システム内に設けられている交換局ＳＧＳＮであって、加入者管理サーバ装置ＨＳＳから受信した「Ｉｎｓｅｒｔ  Ｓｕｂｓｃｒｉｂｅｒ  Ｄａｔａ」に応じて、移動局ＵＥから受信した「Ａｔｔａｃｈ  Ｒｅｑｕｅｓｔ/Ｒｏｕｔｉｎｇ  Ａｒｅａ  Ｕｐｄａｔｅ」に含まれる移動局ＵＥのＣＳＦＢ能力有無情報に基づいて、ＷＣＤＭＡ方式の無線アクセスネットワーク又はＬＴＥ方式の無線アクセスネットワークのどちらかを、移動局ＵＥの待ち受け無線アクセスネットワークに決定するように構成されている決定部２２と、ＷＣＤＭＡ方式の無線アクセスネットワークの無線回線制御局ＲＮＣ（無線アクセスネットワーク装置）又はＬＴＥ方式の無線アクセスネットワークの無線基地局ｅＮＢ（無線アクセスネットワーク装置）に対して、決定された移動局ＵＥの待ち受け無線アクセスネットワークの特定情報（ＳＰＩＤ）を含む「Ｄｉｒｅｃｔ  Ｔｒａｎｓｆｅｒ（信号）」を送信するように構成されている送信部２３とを具備することを要旨とする。
【００９７】
本実施形態の第８の特徴は、ＷＣＤＭＡ方式の無線アクセスネットワーク及びＬＴＥ方式の無線アクセスネットワークを具備する移動通信システム内に設けられている交換局ＭＭＥであって、加入者管理サーバ装置ＨＳＳから受信した「Ｕｐｄａｔｅ  Ｌｏｃａｔｉｏｎ  Ａｎｓｗｅｒ」に応じて、移動局ＵＥから受信した「Ａｔｔａｃｈ  Ｒｅｑｕｅｓｔ/Ｔｒａｃｋｉｎｇ  Ａｒｅａ  Ｕｐｄａｔｅ」に含まれる位置登録種別に基づいて決定された移動局ＵＥのＣＳＦＢ能力有無情報に基づいて、ＷＣＤＭＡ方式の無線アクセスネットワーク又はＬＴＥ方式の無線アクセスネットワークのどちらかを、移動局ＵＥの待ち受け無線アクセスネットワークに決定するように構成されている決定部２２と、無線回線制御局ＲＮＣ又は無線基地局ｅＮＢに対して、決定された移動局ＵＥの待ち受け無線アクセスネットワークの特定情報（ＳＰＩＤ）を含む「Ｉｎｉｔｉａｌ  Ｃｏｎｔｅｘｔ  Ｓｅｔｕｐ（信号）」を送信するように構成されている送信部２３とを具備することを要旨とする。
【００９８】
なお、上述の加入者管理サーバ装置ＨＳＳや交換局ＭＭＥ/ＳＧＳＮや無線基地局ｅＮＢや無線回線制御局ＲＮＣや移動局ＵＥの動作は、ハードウェアによって実施されてもよいし、プロセッサによって実行されるソフトウェアモジュールによって実施されてもよいし、両者の組み合わせによって実施されてもよい。
【００９９】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１００】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、加入者管理サーバ装置ＨＳＳや交換局ＭＭＥ/ＳＧＳＮや無線基地局ｅＮＢや無線回線制御局ＲＮＣや移動局ＵＥ内に設けられていてもよい。また、かかる記憶媒体及びプロセッサは、ディスクリートコンポーネントとして加入者管理サーバ装置ＨＳＳや交換局ＭＭＥ/ＳＧＳＮや無線基地局ｅＮＢや無線回線制御局ＲＮＣや移動局ＵＥ内に設けられていてもよい。
【０１０１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１０２】
ＨＳＳ…加入者管理サーバ装置
１１…受信部
１２…契約情報管理部
１３…決定部
１４…送信部
ＭＭＥ/ＳＧＳＮ…交換局
２１…受信部
２２…決定部
２３…送信部
【図１】
2011015307.tif 000003
【図２】
2011015307.tif 000004
【図３】
2011015307.tif 000005
【図４】
2011015307.tif 000006
【図５】
2011015307.tif 000007
【図６】
2011015307.tif 000008
【図７】
2011015307.tif 000009
【図８】
2011015307.tif 000010
【図９】
2011015307.tif 000011
【図１０】
2011015307.tif 000012
【図１１】
2011015307.tif 000013
【図１２】
2011015307.tif 000014
【手続補正書】
【提出日】平成22年7月1日(2010.7.1)
【手続補正１】
【補正対象書類名】特許請求の範囲
【補正対象項目名】全文
【補正方法】変更
【補正の内容】
【特許請求の範囲】
【請求項１】
回線交換通信を提供可能な第１無線アクセスネットワーク、及び、回線交換通信を提供できないが該第１無線アクセスネットワークよりも高速なパケット交換通信を提供可能な第２無線アクセスネットワークを具備する移動通信システムにおいて、移動局が待ち受けを行う移動通信方法であって、
前記移動局が、前記第１無線アクセスネットワークの交換局に対して、該移動局の能力情報を含む位置登録要求信号を送信する工程と、
前記第１無線アクセスネットワークの交換局が、受信した前記位置登録要求信号に応じて、加入者管理サーバ装置から、前記移動局の加入者情報送信信号を取得する工程と、
前記第１無線アクセスネットワークの交換局が、受信した前記加入者情報送信信号に応じて、受信した前記位置登録要求信号に含まれる前記移動局の能力情報に基づいて、前記第１無線アクセスネットワーク又は前記第２無線アクセスネットワークのどちらかを、該移動局の待ち受け無線アクセスネットワークに決定する工程と、
前記移動局が、前記第１無線アクセスネットワークの交換局によって決定された該移動局の待ち受け無線アクセスネットワークにおいて待ち受けを行う工程とを有することを特徴とする移動通信方法。
【請求項２】
回線交換通信を提供可能な第１無線アクセスネットワーク、及び、回線交換通信を提供できないが該第１無線アクセスネットワークよりも高速なパケット交換通信を提供可能な第２無線アクセスネットワークを具備する移動通信システムにおいて、移動局が待ち受けを行う移動通信方法であって、
前記移動局が、前記第２無線アクセスネットワークの交換局に対して、位置登録種別を含む該移動局の位置登録要求信号を送信する工程と、
前記第２無線アクセスネットワークの交換局が、受信した前記位置登録要求信号に応じて、加入者管理サーバ装置から、前記移動局の位置情報更新応答信号を取得する工程と、
前記第２無線アクセスネットワークの交換局が、受信した前記位置登録応答信号に応じて、受信した前記位置登録要求信号に含まれる前記位置登録種別に基づいて決定された前記移動局の能力情報に基づいて、前記第１無線アクセスネットワーク又は前記第２無線アクセスネットワークのどちらかを、該移動局の待ち受け無線アクセスネットワークに決定する工程と、
前記移動局が、前記第２無線アクセスネットワークの交換局によって決定された該移動局の待ち受け無線アクセスネットワークにおいて待ち受けを行う工程とを有することを特徴とする移動通信方法。
【請求項３】
回線交換通信を提供可能な第１無線アクセスネットワーク、及び、回線交換通信を提供できないが該第１無線アクセスネットワークよりも高速なパケット交換通信を提供可能な第２無線アクセスネットワークを具備する移動通信システム内に設けられている該第１無線アクセスネットワークの交換局であって、
加入者管理サーバ装置から受信した加入者情報送信信号に応じて、移動局から受信した位置登録要求信号に含まれる該移動局の能力情報に基づいて、該第１無線アクセスネットワーク又は前記第２無線アクセスネットワークのどちらかを、該移動局の待ち受け無線アクセスネットワークに決定するように構成されている決定部と、
前記第１無線アクセスネットワークの無線アクセスネットワーク装置に対して、決定された前記移動局の待ち受け無線アクセスネットワークの特定情報を含む信号を送信するように構成されている送信部とを具備することを特徴とする交換局。
【請求項４】
回線交換通信を提供可能な第１無線アクセスネットワーク、及び、回線交換通信を提供できないが該第１無線アクセスネットワークよりも高速なパケット交換通信を提供可能な第２無線アクセスネットワークを具備する移動通信システム内に設けられている該第２無線アクセスネットワークの交換局であって、
加入者管理サーバ装置から受信した位置情報更新応答信号に応じて、移動局から受信した位置登録要求信号に含まれる位置登録種別に基づいて決定された該移動局の能力情報に基づいて、該第１無線アクセスネットワーク又は前記第２無線アクセスネットワークのどちらかを、該移動局の待ち受け無線アクセスネットワークに決定するように構成されている決定部と、
前記第２無線アクセスネットワークの無線アクセスネットワーク装置に対して、決定された前記移動局の待ち受け無線アクセスネットワークの特定情報を含む信号を送信するように構成されている送信部とを具備することを特徴とする交換局。